(57)【要約】【課題】  使い勝手のよい、コンテンツ処理技術を提供する。【解決手段】  コンテンツ処理装置であって、前記コンテンツ処理装置は、少なくとも複数の端末装置から制御可能であり、前記端末装置からの制御信号を入力する入力部と、前記端末装置からの制御信号に基づいて、コンテンツを記録する記録部と、前記端末装置からの制御信号に基づいて、記録された前記コンテンツの少なくとも名称を含むコンテンツリストを出力する出力部と、を備え、前記出力部は、複数の前記端末装置のうちのいずれかから前記コンテンツリストを出力する指示が入力された場合に、複数の前記端末装置によって前記記録部に記録された全てのコンテンツのうち、前記コンテンツリストを出力する指示を行った端末装置によって削除処理されたコンテンツを除いたコンテンツについてのコンテンツリストを出力することを特徴とする。【選択図】  図１
2014093753.tif 000002
【特許請求の範囲】
【請求項１】
コンテンツ処理装置であって、
前記コンテンツ処理装置は、少なくとも複数の端末装置から制御可能であり、
前記端末装置からの制御信号を入力する入力部と、
前記端末装置からの制御信号に基づいて、コンテンツを記録する記録部と、
前記端末装置からの制御信号に基づいて、記録された前記コンテンツの少なくとも名称を含むコンテンツリストを出力する出力部と、を備え、
前記出力部は、
複数の前記端末装置のうちのいずれかから前記コンテンツリストを出力する指示が入力された場合に、複数の前記端末装置によって前記記録部に記録された全てのコンテンツのうち、前記コンテンツリストを出力する指示を行った端末装置によって削除処理されたコンテンツを除いたコンテンツについてのコンテンツリストを出力する
ことを特徴とするコンテンツ処理装置。
【請求項２】
請求項１に記載のコンテンツ処理装置であって、
前記端末装置を前記コンテンツ処理装置に登録する制御を行う制御部を備え、
複数の前記端末装置は、前記制御部によって前記コンテンツ処理装置に登録されている端末装置である
ことを特徴とするコンテンツ処理装置。
【請求項３】
請求項２に記載のコンテンツ処理装置であって、
前記制御部は、
複数の前記端末装置のうちのいずれかから、前記記録部に記録されたコンテンツのうちの一つのコンテンツについて視聴予約する制御信号が入力された場合に、該視聴予約の指示を行った端末装置の情報と該視聴予約の対象となるコンテンツとを関連付けて前記記録部に記録する
ことを特徴とするコンテンツ処理装置。
【請求項４】
請求項３に記載のコンテンツ処理装置であって、
前記制御部は、
前記視聴予約の指示を行った端末装置から、該端末装置が視聴予約の対象としているコンテンツについて削除処理する制御信号が入力された場合に、該コンテンツに関連付けられて記録されている端末装置の情報から、前記削除処理の指示を行った端末装置の情報を削除する
ことを特徴とするコンテンツ処理装置。
【請求項５】
請求項３または請求項４に記載のコンテンツ処理装置であって、
前記端末装置と通信する通信部を備え、
前記制御部は、
記録してから所定時間が経過したコンテンツについて、視聴予約している端末装置に対して前記通信部を介して削除可否の問合せを行い、削除可の場合は、該コンテンツに関連付けられて記録されている端末装置の情報から、削除可の指示を行った端末装置の情報を削除する
ことを特徴とするコンテンツ処理装置。
【請求項６】
請求項４または請求項５に記載のコンテンツ処理装置であって、
前記制御部は、
端末装置の情報を削除した結果、視聴予約している端末装置がなくなったコンテンツについて、前記記録部からを削除する
ことを特徴とするコンテンツ処理装置。
【請求項７】
請求項３乃至請求項６のいずれかに記載のコンテンツ処理装置であって、
前記制御部は、
所定の端末装置からの制御信号に基づいて、視聴予約している端末装置があるコンテンツであっても、前記記録部からを削除する
ことを特徴とするコンテンツ処理装置。
【請求項８】
コンテンツ再生装置であって、
前記コンテンツ再生装置は、少なくとも複数の端末装置から制御可能であり、
前記端末装置からの制御信号を入力する入力部と、
前記コンテンツ再生装置とは別の外部の装置と通信可能な通信部と、
前記端末装置からの制御信号に基づいて、前記外部の装置に記録されたコンテンツの少なくとも名称を含むコンテンツリストを出力する出力部と、
制御部と、を備え、
前記制御部は、
複数の前記端末装置のうちのいずれかから前記コンテンツリストを出力する指示が入力された場合に、前記コンテンツリストを出力する指示を行った端末装置を特定する情報を前記外部の装置に送信し、前記外部の装置から、複数の前記端末装置によって前記外部の装置に記録された全てのコンテンツのうち、前記コンテンツリストを出力する指示を行った端末装置によって削除処理されたコンテンツを除いたコンテンツについての情報を受信し、受信した前記情報に基づいて前記コンテンツリストを作成して出力する
ことを特徴とするコンテンツ再生装置。
【請求項９】
少なくとも複数の端末装置から制御可能なコンテンツ処理装置におけるコンテンツ処理方法であって、
前記端末装置からの制御信号を入力する入力ステップと、
前記端末装置からの制御信号に基づいて、コンテンツを記録する記録ステップと、
前記端末装置からの制御信号に基づいて、記録された前記コンテンツの少なくとも名称を含むコンテンツリストを出力する出力ステップと、を有し、
前記出力ステップにおいて、
複数の前記端末装置のうちのいずれかから前記コンテンツリストを出力する指示が入力された場合に、複数の前記端末装置によって記録された全てのコンテンツのうち、前記コンテンツリストを出力する指示を行った端末装置によって削除処理されたコンテンツを除いたコンテンツについてのコンテンツリストを出力する
ことを特徴とするコンテンツ処理方法。
【請求項１０】
請求項９に記載のコンテンツ処理方法であって、
前記端末装置を前記コンテンツ処理装置に登録する登録ステップを有し、
複数の前記端末装置は、前記コンテンツ処理装置に登録されている端末装置である
ことを特徴とするコンテンツ処理方法。
【発明の詳細な説明】
【技術分野】
【０００１】
本発明は、コンテンツ処理装置、コンテンツ再生装置、及び、コンテンツ処理方法に関する。
【背景技術】
【０００２】
本技術分野の背景技術として、特開２００８−１３５９９５号公報（特許文献１）がある。この公報には、「ユーザーの操作を受け付ける操作入力部と、通信ネットワークに接続し、データの送受信を行なう通信部と、特定の外部端末に対応するユーザー情報を登録するユーザー情報管理部と、通信部が、外部端末からアクセス要求を受信したときにユーザー情報管理部に外部端末に対応するユーザー情報が登録されているかどうかを判定するユーザー登録判定部と、判定の結果、ユーザー情報管理部に外部端末に対応するユーザー情報が登録されている場合、外部端末から録画予約要求を受け付けて、録画予約要求に対応するコンテンツの録画予約を行なう一方、操作入力部の操作により録画予約要求が入力された場合、録画予約要求に対応するコンテンツの録画予約を行なう録画予約要求処理部と、を備える。」と記載されている（要約参照）。
【先行技術文献】
【特許文献】
【０００３】
【特許文献１】特開２００８−１３５９９５号公報
【発明の概要】
【発明が解決しようとする課題】
【０００４】
上記特許文献１に記載の録画装置においては、ユーザー単位で使用するユーザーモードと、使用するユーザーを特定しない共用モードを設けている。しかし、ユーザーは、用途（状況）に応じて、ユーザーモードと共用モードを使い分ける必要があり、使い勝手が良いとはいえない。
【課題を解決するための手段】
【０００５】
上記課題を解決するために、例えば特許請求の範囲に記載の構成を採用する。
本願は上記課題を解決する手段を複数含んでいるが、その一例を挙げるならば、コンテンツ処理装置であって、前記コンテンツ処理装置は、少なくとも複数の端末装置から制御可能であり、前記端末装置からの制御信号を入力する入力部と、前記端末装置からの制御信号に基づいて、コンテンツを記録する記録部と、前記端末装置からの制御信号に基づいて、記録された前記コンテンツの少なくとも名称を含むコンテンツリストを出力する出力部と、を備え、前記出力部は、複数の前記端末装置のうちのいずれかから前記コンテンツリストを出力する指示が入力された場合に、複数の前記端末装置によって前記記録部に記録された全てのコンテンツのうち、前記コンテンツリストを出力する指示を行った端末装置によって削除処理されたコンテンツを除いたコンテンツについてのコンテンツリストを出力することを特徴とする。
【発明の効果】
【０００６】
本発明によれば、使い勝手のよい、コンテンツ処理技術を提供することができる。
上記した以外の課題、構成及び効果は、以下の実施形態の説明により明らかにされる。
【図面の簡単な説明】
【０００７】
【図１】コンテンツ管理システムの構成例である。
【図２】コンテンツ処理装置の内部構成例を示すブロック図である。
【図３】携帯端末の内部構成例を示すブロック図である。
【図４】携帯端末をコンテンツ処理装置に初期登録使用する場合の動作例である。
【図５】機器管理テーブルの内容を示したものである。
【図６】携帯端末とコンテンツ処理装置の通信動作の説明図である。
【図７】リモコン制御時の携帯端末の表示例である。
【図８】コンテンツ処理装置に電子番組表を表示した例である。
【図９】録画予約管理テーブルの内容を示したものである。
【図１０】コンテンツ処理装置のコンテンツ管理テーブルの内容を示したものである。
【図１１】コンテンツ処理装置に、録画コンテンツの一覧をリスト表示した例である。
【図１２】レジュームポイント管理テーブルの内容を示したものである。
【図１３】管理モードを実行させたときの、コンテンツ処理装置の表示画面の例である。
【図１４】問い合わせを受けた携帯端末の画面表示例である。
【図１５】携帯端末に電子番組表を表示させた例である。
【図１６】携帯端末に録画コンテンツの一覧をリスト表示させた例である。
【図１７】実施例２のコンテンツ管理システムの構成例である。
【図１８】実施例２のコンテンツ再生装置の内部構成例を示すブロック図である。
【図１９】携帯端末にコンテンツ再生装置を初期登録する場合の動作例を示す図である。
【図２０】携帯端末の再生装置管理テーブルを示す図である。
【図２１】コンテンツ再生装置をリモコン制御する際の通信動作の説明図である。
【図２２】コンテンツ再生装置をリモコン制御時の携帯端末の表示例である。
【図２３】コンテンツ処理装置とコンテンツ再生装置を連携させてモコン制御する際の通信動作の説明図である。
【図２４】リモコン制御時の携帯端末の表示例である
【図２５】コンテンツ再生装置に電子番組表を表示した例を示す図である。
【図２６】コンテンツ処理装置、コンテンツ再生装置、携帯端末の通信動作の説明図である。
【図２７】コンテンツ再生装置に録画コンテンツの一覧をリスト表示させた例である。
【図２８】管理モードを実行させたときの、コンテンツ再生装置の表示画面の例である。
【発明を実施するための形態】
【０００８】
以下、実施例を図面を用いて説明する。
【実施例１】
【０００９】
実施例１によるコンテンツ管理システムの構成例を図１を参照して説明する。
【００１０】
コンテンツ管理システムは、コンテンツ処理装置１００、および携帯端末２００からなる。
【００１１】
コンテンツ処理装置１００は、例えば録画機能付きテレビジョン装置やレコーダー装置などであり、放送局４４０からの放送信号を受信し、放送番組などのコンテンツを視聴、蓄積（録画）可能なものである。さらに、コンテンツ処理装置１００は、IEEE802.3イーサネット（登録商標）などで構築されたＬＡＮ（Local Area Network)であるホームネットワーク３００に接続されている。
【００１２】
携帯端末２００は、携帯電話やスマートフォンなどであり、ルーター４６０とIEEE802.11a/b/nなどの無線ＬＡＮにより接続される。ルーター４６０は、ホームネットワーク４５０に接続されており、携帯端末２００は、ルーター４６０を介してホームネットワーク４５０に接続される。携帯端末２００は、ホームネットワーク４５０に接続されているコンテンツ処理装置１００と通信を行う。携帯端末２００は、リモコン制御信号をコンテンツ処理装置１００に送信することにより、コンテンツ処理装置１００をリモコン制御することができる。
【００１３】
点線で囲まれた領域４００は、宅内を示している。図に示すように、ルーター４６０は、インターネットなどの外部ネットワーク４１０と接続されており、宅内４００に配置されたコンテンツ処理装置１００、携帯端末２００などは、ルーター４６０を介して外部ネットワーク４１０と相互通信を行うことができる。
【００１４】
また、携帯端末２００は、基地局４２０とＷ−ＣＤＭＡ（Wideband Code Division Multiple Access）やＧＳＭ（登録商標）（Global System for Mobile communications）などによる無線通信を行うこともできる。携帯端末２００は、基地局４２０を介して、外部ネットワーク４１０と相互通信を行うこともできる。
【００１５】
コンテンツ処理装置１００は、外部ネットワーク４１０を経由して、コンテンツサーバー４３０が配信するコンテンツをストリーミング視聴あるいはダウンロードすることもできる。
【００１６】
図１に示すように、携帯端末２００ａ〜２００ｄは複数（ここでは、４台）あり、携帯端末２００ａ〜２００ｄをユーザーが個人毎に持つことにより、ユーザーと携帯端末２００ａ〜２００ｄが１対１で対応するようになっている。以下、コンテンツ処理装置１００を使用するユーザーが４人、それぞれのユーザーが１台の携帯端末２００を使用する場合について説明する。なお、ここでは、携帯端末２００ａの機器名称を「ＡＡ」、機器ＩＤを「192.168.1.3」とする。同様に、携帯端末２００ｂの機器名称を「ＢＢ」、機器ＩＤを「192.168.1.4」とし、携帯端末２００ｃの機器名称を「ＣＣ」、機器ＩＤを「192.168.1.5」とし、携帯端末２００ｄの機器名称を「ＤＤ」、機器ＩＤを「192.168.1.6」とする。機器名称は、例えば機種名などが用いられ、これは使用者が設定変更可能なものである。機器ＩＤは、ネットワーク上で機器を区別する際に用いられるもので、ＭＡＣアドレス（Media Access Control address）や、シリアル番号、ＩＰアドレス（Internet Protocol address）などであり、ここでは、ＩＰアドレスを用いた場合について説明する。なお、ルーター４６０の機器ＩＤは「192.168.1.1」であるものとし、コンテンツ処理装置１００の機器名称は「ＺＺ」、機器ＩＤは「192.168.1.2」であるものとする。
【００１７】
図２は、本発明の一実施例によるコンテンツ処理装置１００の内部構成例を示すブロック図である。ここでは、録画機能付きテレビジョン装置の場合を例にして説明する。
【００１８】
コンテンツ処理装置１００は、ＣＰＵ（Central Processin Unit）１０１、メモリ１０２、ストレージ１０３、チューナ１０４、操作入力部１０５、リモコン受信部１０６、通信部１０７、表示部１０８、映像処理部１０９、音声処理部１１０、スピーカ１１１、入出力Ｉ／Ｆ１１２を備え、それぞれはバス１５０に相互に接続されている。
【００１９】
メモリ１０２は、フラッシュメモリなどであり、各種プログラムが格納されている。ストレージ１０３は、ＨＤＤ（Hard disk drive）などの記録媒体であり、コンテンツなどを記録することができる。ＣＰＵ１０１は、メモリ１０２に格納されている各種プログラムなどを実行することによって、後述する各構成ブロックを制御し、各種の処理を行っている。
【００２０】
チューナ１０４は、接続されているアンテナ１２０にて、放送局４４０が送信するデジタル放送などの放送信号を受信し、選局及び復調を行う。チューナ１０４にて選局・復調した後、映像信号と音声信号に分離する。分離された映像信号は、映像処理部１０９にて映像処理され、表示部１０８に表示する。ここで、表示部１０８は、ＰＤＰ（Plasma Display Panel）や、ＬＣＤ（Liquid Crystal Display）、有機ＥＬ（Electroluminescence）などである。また分離された音声信号は、音声処理部１１０にて音声処理されスピーカ１１１から出力する。また、チューナ１０４にて選局・復調したデータを、ストレージ１０３に記録（録画）することもできる。録画したコンテンツを視聴する際は、ストレージ１０３に記録されたコンテンツデータを読み出し、映像信号と音声信号に分離し、映像信号は映像処理部１０９にて映像処理し、表示部１０８に表示する。音声信号は、音声処理部１１０にて音声処理しスピーカ１１１から出力する。なお、ここでは、ストレージ１０３はコンテンツ処理装置１００に内蔵されているが、取り外し可能のリムーバブルタイプや、別体の外付けタイプでもよい。
【００２１】
操作入力部１０５は、ユーザーからの各種操作を受け付けるユーザーインターフェイスであり、例えば電源のＯＮ／ＯＦＦ、チューナ１０４の選局、音量のＵＰ／ＤＯＷＮなどの操作ボタンである。また、携帯端末２００からのリモコン制御信号を受信し、ユーザーからの各種操作を受け付けることもできる。さらには、ユーザーが操作するリモコン（図示せず）からのリモコン制御信号を、リモコン受信部１０６により受信することでも、ユーザーからの各種操作を受け付けることもできる。
【００２２】
通信部１０７は、他機器と通信を行うインターフェイスであり、ＬＡＮケーブル４５１によりホームネットワーク４５０とで接続される。また、ホームネットワーク４５０に接続されているルーター４６０を介して外部ネットワーク４１０とも接続可能である。
【００２３】
入出力Ｉ／Ｆ１１２は、他の電子機器と接続する例えばＨＤＭＩ（High-Definition Multimedia Interface）などの接続インターフェイスである。
【００２４】
また、コンテンツサーバー４３０が配信するコンテンツデータを外部ネットワーク４１０、ホームネットワーク４５０を介して、通信部１０７にて受信することもできる。受信したコンテンツデータを、上記と同様に映像信号と音声信号に分離し、映像処理部１０９、音声処理部１１０にて映像／音声処理され、表示部１０８、スピーカ１１１より出力する。また、通信部１０７にて受信したコンテンツデータをストレージ１０３に保存（ダウンロードという）することもできる。再生（視聴）時は、ストレージ１０３に保存されたコンテンツデータを読み出し、映像処理部１０９、音声処理部１１０にて映像／音声処理され、表示部１０８、スピーカ１１１にて出力する。
【００２５】
なお、上記は、録画機能付きテレビジョン装置の例を説明したが、レコーダー装置の場合は、表示部１０８、スピーカ１１１が存在しない構成となり、映像信号や音声信号は入出力Ｉ／Ｆ１１２より出力され、入出力Ｉ／Ｆ１１２に接続される他の機器（例えばテレビジョン装置）にて視聴することが可能となる。
【００２６】
次に携帯端末２００の構成について説明する。
【００２７】
図３は、本発明の一実施例による携帯端末２００の内部構成例を示すブロック図である。
【００２８】
ここでは、スマートフォンの場合を例にして説明する。携帯端末２００は、基地局通信部２０１、ＣＰＵ２０２、メモリ２０３、ストレージ２０４、ＧＰＳ（Global Positioning System）受信部２０５、地磁気センサ２０６、加速度センサ２０７、ジャイロセンサ２０８、無線通信部２０９、マイク２１０、音声処理部２１１、スピーカ２１２、表示部２１３、映像処理部２１４、映像入力部２１５、操作入力部２１６、入出力Ｉ／Ｆ２１７を備え、それぞれはバス２５０に相互に接続されている。
【００２９】
基地局通信部２０１は、Ｗ−ＣＤＭＡやＧＳＭなどの基地局４２０と遠距離の無線通信を行う通信インターフェイスである。
【００３０】
ＣＰＵ２０２は、メモリ２０３に記憶したプログラムを実行することによって、各構成部を制御し、各種の処理を行っている。
【００３１】
メモリ２０３は、フラッシュメモリなどであり、プログラム、データなどを記憶している。上記した機器名称や機器ＩＤはメモリ２０３に保存されている。
【００３２】
さらに携帯端末２００はメモリーカードなどのストレージ２０４を備えており、ストレージ２０４にもデータなどを保存することができる。メモリ２０３に記憶されるプログラムは、基地局通信部２０１が基地局４２０と無線通信を行い、図示しない外部サーバーなどからダウンロードすることにより、随時更新・追加することが可能である。
【００３３】
ＧＰＳ受信部２０５は、上空にあるＧＰＳ衛星からの信号を受信するものである。これにより、携帯端末２００の現在位置を検出することができる。
【００３４】
地磁気センサ２０６は携帯端末２００の向いている方向を検出するセンサである。
【００３５】
加速度センサ２０７は携帯端末２００の加速度を検出するセンサ、ジャイロセンサ２０８は、携帯端末２００の角速度を検出するセンサである。これらにより、携帯端末２００の傾き、動きを詳細に検出することができる。
【００３６】
無線通信部２０９は、ルーター４６０と無線ＬＡＮなどによる無線通信を行う通信インターフェイスである。
【００３７】
マイク２１０は、外部の音声を入力するものであり、スピーカ２１２は、外部に対して音声を出力するものである。入出力される音声は、音声処理部２１１にて音声処理される。
【００３８】
表示部２１３はＬＣＤなど映像や画像を表示するものであり、その表示面にタッチパネルである操作入力部２１６を有する。
【００３９】
操作入力部２１６は、表示部２１３の表示画面より、ユーザーが所望の機能を選択し指先などでタッチすることで、各種の操作コマンドを受け付けるものである。
【００４０】
映像入力部２１５は、カメラなどである。表示部２１３に表示される映像や、映像入力部２１５から入力された映像は、映像処理部２１４にて処理される。
【００４１】
入出力Ｉ／Ｆ２１７は、例えばＵＳＢ（Universal Serial Bus）などであり、外部機器（図示せず）とデータの送受信を行うインターフェイスである。
【００４２】
上記したように、携帯端末２００は、ホームネットワーク４５０を経由して、コンテンツ処理装置１００にリモコン制御信号を送信し、コンテンツ処理装置１００をリモコン制御することができる。表示部２１３に操作コマンド等を表示させて、ユーザーは所望の操作コマンドをタッチ操作する。タッチ操作は、操作入力部２１６によって受け付けられ、ユーザーがタッチ操作した操作コマンドは、ＣＰＵ２０２に送られる。ＣＰＵ２０２は、受け付けた操作コマンドに対応したリモコン制御信号を生成する。このとき、各種操作コマンドとリモコン制御信号の対応テーブルデータは、メモリ２０３に格納されている。ＣＰＵ２０２は、生成したリモコン制御信号を、無線通信部２０９よりコンテンツ処理装置１００に送信する。このようにして、携帯端末２００は、コンテンツ処理装置１００をリモコン制御することができる。
【００４３】
本実施例のコンテンツ管理システムにおいては、最初に、使用する携帯端末２００をコンテンツ処理装置１００に登録する必要がある。これは、未登録の携帯端末２００からのリモコン制御信号を受け付けないようにすることと、リモコン制御信号を受け付けた際に、リモコン制御信号を送信した携帯端末２００を判別することで、その携帯端末２００を使用しているユーザーを特定するためである。
【００４４】
図４は、携帯端末２００をコンテンツ処理装置１００に初期登録使用する場合の動作例を示す。なお、ここでは、携帯端末２００ａにおける登録の動作について説明する。
【００４５】
コンテンツ処理装置１００においては、装置用登録プログラムをストレージ１０３より読み込み起動させる（Ｓ４２１）。装置用登録プログラムは、製品の出荷時点でストレージ１０３に格納しておいてもよく、通信部１０７またはデジタル放送波を介してダウンロードしてもよい。装置用登録プログラムを起動させた後、認証コードを設定する（Ｓ４２２）。装置用登録プログラムの起動（Ｓ４２1）と認証コードの設定（Ｓ４２２）は、最初の１回のみでよい。
【００４６】
携帯端末２００ａにおいては、機器用登録プログラムをメモリ２０３より読み込み起動させる（Ｓ４１１）。これは、ユーザーが、表示部２１３に表示されたメニューから選択し、操作入力部２１６を介して操作し選択することで、メモリ２０３に格納されている機器用登録プログラムが起動する。なお、機器用登録プログラムは、製品の出荷時にメモリ２０３に格納しておいてもよく、あるいは、基地局通信部２０１または無線通信部２０９を介して外部プログラムサーバー（図示せず）よりダウンロードしてもよい。
【００４７】
次に携帯端末２００ａは、ホームネットワーク４５０に接続されているコンテンツ処理装置１００に問合せ信号を送信する（Ｓ４０１）。問合せ信号を受信したコンテンツ処理装置１００は、回答信号を返信する（Ｓ４０２）。回答信号には、コンテンツ処理装置１００の機器名称、機器ＩＤなどが含まれる。回答信号を受信した携帯端末２００ａは、コンテンツ処理装置１００の機器名称（例えば、機種名など）を表示部２１３に表示する。複数のコンテンツ処理装置１００が存在する場合は、複数の機器名称が表示される。ユーザーは表示された機器名称から、目的のコンテンツ処理装置１００を選択する（Ｓ４１２）。
【００４８】
次に、ユーザーはＳ４２２にて設定した認証コードを操作入力部２１６にて入力する（Ｓ４１３）。携帯端末２００ａは、入力された認証コードをＳ４１２にて選択されたコンテンツ処理装置１００に送信する（Ｓ４０３）。コンテンツ処理装置１００は、受信した認証コードとＳ４２２にて設定された認証コードが一致するかを確認する（Ｓ４２３）。認証コードが一致した場合は、認証完了信号を携帯端末２００ａに送信する（Ｓ４０４）。次に、携帯端末２００ａは、コンテンツ処理装置１００に、携帯端末２００ａの機器名称「ＡＡ」と機器ＩＤ「192.168.1.3」を送信する（Ｓ４０５）。コンテンツ処理装置１００は、受信が完了したことを通知する（Ｓ４０６）。
【００４９】
受信完了信号を受信した携帯端末２００ａは、ユーザー名入力モードとなり、ユーザーは、操作入力部２１６にてユーザー名を入力する（Ｓ４１４）。ここでは、ユーザー名として「お父さん」を入力した場合について説明する。携帯端末装置２００ａは、入力されたユーザー名をコンテンツ処理装置１００に送信する（Ｓ４０７）。コンテンツ処理装置１００は、受信したユーザー名と、先に取得した機器名称、機器ＩＤを登録する（Ｓ４２４）。登録完了信号を携帯端末２００ａに送信する（Ｓ４０８）。携帯端末２００ａは、登録完了信号を受信すると、登録が完了した旨を表示し（Ｓ４１５）、機器用登録プログラムの動作を終了する。
【００５０】
他の携帯端末２００を登録する場合は、同様の操作を繰り返す。なお、コンテンツ処理装置１００における、装置用登録プログラムの起動（Ｓ４２1）と認証コードの設定（Ｓ４２２）は省略される。
【００５１】
図５は、コンテンツ処理装置１００の機器管理テーブル５００を示す。機器管理テーブル５００は、上記の登録処理を行った携帯端末２００が記録されたテーブルである。機器管理テーブル５００は、機器番号５０１、機器名称５０２、機器ＩＤ５０３、ユーザー名５０４からなる。図５に示すように、機器番号（１）には、携帯端末２００ａが登録されていることがわかる。機器番号（２）〜（４）には、それぞれ携帯端末２００ｂ〜２００ｄが登録されており、それぞれのユーザー名は「お母さん」「太郎」「花子」であることを示す。このように、ユーザー名５０４を設けているため、ユーザーの識別が容易になり、使い勝手がよくなる。なお、本機器管理テーブル５００は、最初に一度設定するだけでよく、メモリ１０２に保存されており、適宜読み込んで使用する。また、携帯端末２００の増減に伴い、容易に機器管理テーブル５００を変更できるようにしている。
【００５２】
上記したように、携帯端末２００は、リモコン制御信号をコンテンツ処理装置１００に送信することで、コンテンツ処理装置１００をリモコン制御することができる。
【００５３】
図６は携帯端末２００とコンテンツ処理装置１００の通信動作の説明図であり、図７はリモコン制御時の携帯端末２００の表示例を示す。
【００５４】
まず、携帯端末２００において、メニューなどから選択し、リモコン制御モードにする（Ｓ６１１）。このとき、携帯端末２００の表示部２１３は、図７（ａ）あるいは図７（ｂ）、図７（ｃ）の状態となる。図７（ａ）、図７（ｂ）、図７（ｃ）は自由に切り替えることができ、ユーザーはこの表示画面より、所望のリモコン制御するコマンドをタッチ選択する（Ｓ６１２）。例えば、音量を上げる場合は、図７（ａ）の表示画面にし、音量ボタン２２３の上側をタッチ選択する。また、電子番組表を表示する場合は、図７（ｂ）の表示画面に切り替え、番組表ボタン２３０をタッチ選択する。操作入力部２１６は、タッチされた座標より、そのタッチされた位置に対応するリモコン制御信号をコンテンツ処理装置１００に送信する（Ｓ６０１）。例えば、音量ボタン２２３の上側がタッチ選択された場合は、音量ＵＰのリモコン制御信号を送信する。このとき、携帯端末２００の機器ＩＤも一緒に送信する。他のボタンが選択された場合も同様である。
【００５５】
コンテンツ処理装置１００は、受信した機器ＩＤが管理テーブル５００に登録されているかを確認する（Ｓ６２１）。管理テーブル５００に登録されていない機器ＩＤの場合は、受信したリモコン制御信号を無視する。受信した機器ＩＤが管理テーブル５００に登録された機器ＩＤと一致した場合は、受信したリモコン制御信号に対応する動作（リモコン制御）を行う（Ｓ６２２）。例えば、音量ＵＰのリモコン制御信号を受信した場合は、コンテンツ処理装置１００の音量を上げる動作をする。コンテンツ処理装置１００は、制御完了信号を携帯端末２００に送信する（Ｓ６０２）。
【００５６】
上記したように、コンテンツ処理装置１００は、チューナ１０４にて受信した放送信号より、コンテンツをデータとしてストレージ１０３に保存（録画）することができる。これは、事前に録画予約を設定し、その時刻になった時に、放送信号から目的のコンテンツ（放送番組）を自動で録画するものである。また、録画したい放送信号を受信しているときに、携帯端末２００において、図７（ｃ）の表示画面にし、録画ボタン２４１をタッチ選択しても、コンテンツを録画することができる。
【００５７】
次に、放送番組の録画予約の設定について説明する。
【００５８】
図８は、コンテンツ処理装置１００の表示部１０８に電子番組表（ＥＰＧ：Electronic Program Guide）７００を表示した例である。電子番組表７００は、番組配列情報（イベント情報）を含むデジタル放送波を受信し、受信した番組配列情報に基づいて作成したものである。ここでは、携帯端末２００ａのタッチ操作により電子番組表７００が表示された例を示している。
【００５９】
携帯端末２００ａにおいて、図７（ｂ）の表示画面とし、番組表ボタン２３０をタッチ選択することにより、電子番組表表示に関するリモコン制御信号と機器ＩＤ「192.168.1.3」をコンテンツ処理装置１００に送信する。電子番組表表示のリモコン制御信号を受信すると、番組配列情報に基づいて電子番組表データを作成し、表示部１０８に電子番組表７００を表示する。コンテンツ処理装置１００は、機器管理テーブル５００を参照し、受信した機器ＩＤ「192.168.1.3」より、リモコン制御信号を送信した端末の機器番号５０１が（１）、ユーザー名５０４が「お父さん」である携帯端末２００ａであることが判別できる。よって表示部１０８に、ユーザー名７２０を表示するようにしている。
【００６０】
電子番組表７００上には、カーソル７１０が表示されている。これは、携帯端末２００ａの表示画面を図７（ｂ）の上下左右のカーソルキー２３２と対応して上下左右に移動するようにしている。すなわち、上のカーソルキー２３２をタッチ選択すると、カーソル７１０は上に移動する。このようにして、カーソル７１０を所望の番組タイトルまで移動させて、決定キー２３３をタッチ選択すると、カーソル７１０にて選択された番組情報を、後述する録画予約管理テーブルに記録し、録画予約の設定が行われる。このとき、上記操作を行った携帯端末２００ａの機器番号（１）も一緒に記録するようにしている。
【００６１】
次に、上記した操作等により録画予約された番組を管理する録画予約管理テーブルについて説明する。
【００６２】
図９は、録画予約管理テーブル８００の内容を示したものである。録画予約管理テーブル８００は、録画管理番号８０１、チャンネル（Ｃｈ）番号、日時、番組名称などのコンテンツ情報８０２、および、録画予約の設定を行った録画ユーザー８０３を有する。録画ユーザー８０３は、上記したように録画予約設定を行った携帯端末２００の機器ＩＤより判別している。コンテンツ処理装置１００は、録画予約管理テーブル８００より、所定の時刻になると録画を開始する。録画を開始した番組の情報は、録画予約管理テーブル８００から削除する。
【００６３】
図１０は、コンテンツ処理装置１００に記録（録画）されたコンテンツ（番組）を管理するコンテンツ管理テーブル９００の内容を示す。コンテンツ管理テーブル９００は、コンテンツ管理番号９０１、チャンネル（Ｃｈ）番号、日時、番組名称などのコンテンツ情報９０２、録画ユーザー９０３、視聴予約ユーザー９０４、視聴済ユーザー９０５、削除ユーザー９０６からなる。録画ユーザー９０３は、録画を行ったユーザーであり、録画予約管理テーブル８００の録画ユーザー８０３より設定する。視聴済ユーザー９０５は、そのコンテンツを視聴したユーザーであり、コンテンツを選択し、再生のリモコン制御コマンドを送信した機器ＩＤより判別する。視聴予約ユーザー９０４は、そのコンテンツの視聴予約を行ったユーザーであり、削除ユーザー９０６は、そのコンテンツの削除処理を行ったユーザーである。それぞれの詳細な説明は後述する。
【００６４】
図１１は、コンテンツ処理装置１００の表示部１０８に、録画コンテンツの一覧（コンテンツリスト）をリスト表示した例を示す。図１１（ａ）は、携帯端末２００ａの録画一覧ボタン２３１をタッチ操作した場合のリスト表示を行った例、図１１（ｂ）は、携帯端末２００ｂの録画一覧ボタン２３１をタッチ操作した場合のリスト表示を行った例を示している。
【００６５】
図１１（ａ）に示すように、番組名称、チャンネル番号、日時などのコンテンツ情報１０１０の一覧を表示し、携帯端末２００ａにおいて録画予約を行ったコンテンツ（ここでは、「タイトル２２」「タイトル２７」）には、予約マーク１０１１を表示することで、自身がどの番組を録画予約したのかを容易に確認することができる。
【００６６】
また、携帯端末２００ａにて視聴予約を行ったコンテンツ（ここでは、「タイトル２２」「タイトル２５」「タイトル２６」「タイトル２７」）に視聴予約マーク１０１２を表示することで、自身がどの番組を視聴予約したのかを容易に確認することができる。なお、録画予約を行ったコンテンツ（「タイトル２２」「タイトル２７」）については、自動で視聴予約のコンテンツになるように設定してもよい。さらには、一度も視聴していないコンテンツすなわち視聴済番組以外のコンテンツ（ここでは、「タイトル２２」「タイトル２３」「タイトル２６」）に未視聴マーク１０１３を表示することで、自身がどの番組を視聴していないのかを容易に確認することができる。なお、削除処理を行ったコンテンツ（ここでは、「タイトル２１」「タイトル２４」）については、表示しないようにしている。また、表示部１０８には、ユーザー名１０２０を表示するようにしている。
【００６７】
このとき、操作する携帯端末２００ａにおいて、カーソルキー２３２をタッチ操作して、録画コンテンツ一覧のリスト表示のカーソル１０２１を目的のコンテンツに移動させて、再生ボタン１０３０を選択すると、選択したコンテンツの再生を開始する。また、携帯端末２００ａの再生ボタン２３５をタッチ操作して、コンテンツの再生を開始することもできる。例えば、図１１に示すように「タイトル２６」をカーソル１０２１にて選択し、再生ボタン１０３０を選択すると、「タイトル２６」のコンテンツの再生を開始する。このとき、コンテンツ管理テーブル９００の「タイトル２６」の視聴済ユーザー９０５に、携帯端末２００ａの機器番号である（１）が登録される。なお、以前に途中で再生を終了（中断）したコンテンツを再生する場合は、レジュームポイントから再生を開始する。レジュームポイントの詳細については、後述する。
【００６８】
上記したように、再生を開始すると視聴済みユーザー９０５に登録されるため、次に録画コンテンツの一覧リスト表示を行うと、視聴したコンテンツである「タイトル２６」には未視聴マーク１０１３が表示されない。
【００６９】
録画コンテンツ一覧のリスト表示で、カーソル１０２１で選択したコンテンツを、視聴予約ボタン１０３１を選択すると、視聴予約することができる。これは、後で視聴したい場合に選択するものである。なお、これは携帯端末２００ａの視聴予約ボタン２３６のタッチ操作でも視聴予約することができる。視聴予約されたコンテンツには、コンテンツ管理テーブル９００の視聴予約ユーザー９０４に、機器番号（１）が登録される。同時に、そのコンテンツに視聴予約マーク１０１２が表示される。このように、視聴予約を行うことにより、そのコンテンツが他のユーザーによって削除されることを防止することができる。なお、録画予約した携帯端末２００を視聴予約ユーザーに自動で登録するようにしてもよい。
【００７０】
録画コンテンツ一覧のリスト表示で、カーソル１０２１で選択したコンテンツを、削除ボタン１０３２を選択することで、削除処理を行うことができる。また、削除処理は、カーソル１０２１で選択した後に、携帯端末装置２００ａの削除ボタン２３７をタッチ選択することでも実現できる。削除処理は、視聴が終了したコンテンツや、今後視聴する予定のないコンテンツに行う処理である。削除処理を行うことで、そのコンテンツに対して、コンテンツ管理テーブル９００の削除ユーザー９０６に機器番号（１）が登録される。削除処理を行ったコンテンツの情報は、録画コンテンツ一覧のリスト表示を行っても、そのユーザーには表示されない。なお、上記削除ユーザー９０６に機器番号（１）を登録する際に、視聴予約ユーザー９０４に機器番号（１）が登録されていた場合は、視聴予約ユーザー９０４から機器番号（１）を削除する。
【００７１】
なお、上記削除処理は、削除ユーザー９０６に登録されるだけであり、コンテンツ処理装置１００には、そのコンテンツは保存されたままである。当該コンテンツは、携帯端末２００ａのユーザーにとっては不要なものである。携帯端末２００ａのユーザーが録画コンテンツ一覧のリスト表示を行ったときに、不要なコンテンツのタイトルが表示されないため、容易に目的のコンテンツを探すことができて、使い勝手がよい。一方、携帯端末２００ａのユーザーにとっては不要なコンテンツであっても、他のユーザーにとっては、視聴したい場合もある。本実施例のコンテンツ処理装置１００においては、そのコンテンツは保存したままであるため、他のユーザーは視聴することができる。
【００７２】
上記削除処理の結果、視聴予約ユーザー９０４に登録された機器が存在しなくなった場合は、そのコンテンツは今後視聴を予定しているユーザーが存在しないため、そのコンテンツをストレージ１０３から削除する。これにより、ストレージ１０３の空き容量を最大限に確保することが出来る。
【００７３】
なお、視聴を終了したにも関わらず削除処理を忘れた場合は、そのコンテンツは削除されないため、その分ストレージ１０３の空き容量が少なくなってしまう可能性がある。よって、コンテンツを最後まで視聴した場合（視聴済の場合）、あるいは、残り時間が所定時間以下（例えば５分以下）で視聴終了した場合に、視聴予約ユーザー９０４からその機器番号（１）を削除して、そのコンテンツを自動で削除するようにしてもよい。
【００７４】
図１１（ｂ）は、携帯端末２００ｂの操作によって、コンテンツ処理装置１００の表示部１０８に、録画コンテンツの一覧をリスト表示された例を示す。
【００７５】
番組名称、チャンネル番号、日時などのコンテンツ情報１０１０の一覧を表示し、携帯端末２００ｂにおいて録画予約を行ったコンテンツ（ここでは、「タイトル２５」）には、予約マーク１０１１を表示し、携帯端末２００ｂにて視聴予約を行ったコンテンツ（ここでは、「タイトル２５」）には視聴予約マーク１０１２を表示し、一度も視聴していないコンテンツ（ここでは、「タイトル２２」「タイトル２５」）には未視聴マーク１０１３を表示している。また、携帯端末２００ｂにおいて削除処理を行ったコンテンツ（ここでは、「タイトル２１」「タイトル２３」「タイトル２６」「タイトル２７」）については、表示しない。コンテンツの再生（視聴）、予約視聴、削除処理の操作については、上記した携帯端末２００ａと同様であり、詳細な説明は省略する。
【００７６】
ここで、特許文献１に記載の従来技術では、ユーザーモードにて録画コンテンツの一覧をリスト表示させた場合、自分自身が録画したコンテンツと共用モードで録画したコンテンツのみが表示される。また、共用モードにて録画コンテンツの一覧をリスト表示させた場合、共用モードで録画したコンテンツしか表示されない。ユーザーはリスト表示されたコンテンツ以外は視聴できないため、ユーザーモードで録画予約したコンテンツは、ユーザーモードでしか視聴できず、録画したユーザーであっても共用モードでは視聴することができない。また、視聴したいコンテンツの録画を忘れた場合、他のユーザーがそのコンテンツを録画してあっても、そのコンテンツは共用モードで録画されていた場合は視聴できるが、ユーザーモードで録画されていた場合は視聴することができない。よって、従来技術では、録画を忘れたコンテンツを視聴できない可能性がある。
【００７７】
一方、本実施例によれば、上記したように、他のユーザーによって録画されたコンテンツも、録画コンテンツ一覧に表示されるため、録画を忘れたコンテンツであっても、他のユーザーによって録画されていればそのコンテンツを視聴することができる。
【００７８】
また、特許文献１に記載の従来技術では、共用ユーザーと個別ユーザーを別ユーザーとして管理しているため、使用するユーザーは、ユーザーモードと共用モードとを状況に応じて使い分ける必要があった。一方、本実施例によれば、モードを意識する必要はない。また、不要と判断したコンテンツは削除処理を行い、視聴を希望するコンテンツは視聴予約を行う等、他のユーザーを意識することなく、自身の判断で操作をすることができる。
【００７９】
図１２は、レジュームポイント管理テーブル１１００を示す。レジュームポイント管理テーブル１１００は、コンテンツ管理番号１１０１と、機器のレジュームポイント１１０２からなる。コンテンツ管理番号１１０１は、コンテンツ管理テーブル９００のコンテンツ管理番号９０１と対応している。レジュームポイント１１０２は、そのコンテンツの再生を停止（中断）した時間を示している。次回、再生をする際は、レジュームポイントから再生すると、続きを視聴することができる。
【００８０】
本実施例のコンテンツ処理装置１００においては、図１２に示すように、各コンテンツに対して、各機器それぞれにレジュームポイントを管理している。例えば、コンテンツ管理番号Ｎｏ．４（「タイトル２４」）においては、機器番号（２）のレジュームポイントは、「0h25ｍ20s（開始から２５分２０秒の位置）」であることを示している。機器番号（３）および機器番号（４）においては、視聴済ユーザーでない（未視聴である）ため、「0h00m00s（開始位置）」であることを示している。また、機器番号（１）においては、削除処理を行っている、または視聴済のため、レジュームポイントデータは削除している。
【００８１】
また、本実施例のコンテンツ処理装置１００におては、管理モードを設けている。この管理モードは、登録された携帯端末２００からのみ実行できるようにしている。管理モードを実行できる機器の管理は、機器管理テーブル５００にて行えばよい。ここでは、携帯端末２００ａを、管理モードの実行可能な機器に登録している場合について説明する。
【００８２】
図１３は、携帯端末２００ａにおいて管理モードを実行させたときの、コンテンツ処理装置１００の表示画面の例を示す。
【００８３】
図１３に示すように、コンテンツ管理テーブル９００の情報を一覧表示したとする。番組名称、チャンネル番号、日時などのコンテンツ情報１０１０の一覧と、それぞれのコンテンツにおいて、録画予約を行った機器を示す録画ユーザー１０４１、視聴予約を行った機器を示す視聴予約ユーザー１０４２、過去に視聴を行ったことのある機器を示す視聴済ユーザー１０４３、削除処理を行った機器を示す削除ユーザー１０４４が表示されている。ここで、カーソル１０２１にてコンテンツを選択し、削除ボタン１０５０を選択すると、そのコンテンツをストレージ１０３から削除することができる。
【００８４】
このように、本実施例のコンテンツ処理装置１００においては、視聴予約ユーザーがいるコンテンツを削除することができる管理モードを設けている。これにより、視聴予約をしていながら視聴していないコンテンツや、視聴終了しているが削除処理を行わなかったコンテンツが増えた場合、ストレージ１０３の空き容量が不足する可能性がある。強制的にコンテンツを削除可能な管理モードを設けることにより、ストレージ１０３の空き容量が不足した場合にも対応できる。
【００８５】
なお、管理モードにてコンテンツを削除する際に、削除処理をしていない視聴予約ユーザーに問い合わせるようにしてもよい。例えば、管理モードにおいて「タイトル２４」のコンテンツを削除する処理を行った場合について説明する。「タイトル２４」のコンテンツにおいては、視聴予約ユーザー１０４２に登録されている機器番号（４）のユーザーは、削除処理を行った削除ユーザー１０４４に登録されていない。すなわち、機器番号（４）のユーザーは、視聴予約をしているが、削除処理を行っていないことになる。このように、削除処理をしていない視聴予約ユーザーに削除可否の問い合わせを行う。この場合、コンテンツ処理装置１００は、機器番号（４）である携帯端末２００ｄに対して、削除可否の問い合わせを行う。図１４は、問い合わせを受けた携帯端末２００ｄの画面表示例を示したものである。図１４に示すように、コンテンツ情報１２１０を表示し、削除の可否を問い合わせている。携帯端末２００ｄの使用者（ここでは、「花子」）は、画面を確認し、削除に同意する場合はＹｅｓボタン１２３０をタッチ選択し、削除に同意できない場合はＮｏボタン１２３１をタッチ選択してコンテンツ処理装置１００に回答する。削除に同意の回答が得られた場合は、「タイトル２４」のコンテンツを削除し、同意が得られなかった場合は削除しない。管理モードでの削除時に、強制削除するか、あるいは削除可否を問い合わせするかは、選択できるようにすればよい。また、図１４に示すように再生ボタン１２３２を設け、再生ボタン１２３２をタッチ選択した場合は、コンテンツ処理装置１００に、コンテンツ情報１２１０に表示されている「タイトル２４」のコンテンツを再生するリモコン制御信号を送信し、「タイトル２４」のコンテンツを再生開始するようにしてもよい。
【００８６】
なお、上記の削除可否の問い合わせは、管理モードにて削除処理を行った時に、行うようにしているが、ストレージ１０３の空き容量が所定値以下になった場合や、録画してから所定期間以上経過した場合に、削除可否の問い合わせをするようにしてもよい。
【００８７】
また、上記においては、図８に示すように、コンテンツ処理装置１００の表示部１０８に電子番組表７００を表示して録画予約を設定していたが、携帯端末２００に表示させて録画予約するようにしてもよい。図１５は、携帯端末２００ａに電子番組表１３００を表示させた例である。これは、携帯端末２００ａより、コンテンツ処理装置１００に対して、番組配列情報の送信要求のリモコン制御信号を送信し、コンテンツ処理装置１００は、そのリモコン制御信号に対応し、携帯端末２００ａに番組配列情報を送信する。携帯端末２００ａは、受信した番組配列情報から電子番組表１３００を作成し表示を行う。このとき、表示部２１３には、ユーザー名１３２０を表示するようにしている。
【００８８】
ユーザーは表示された電子番組表１３００から、所望の番組タイトルをタッチして選択する。操作入力部２１６は、タッチした座標を検出することで、どの番組タイトルがタッチされたかを判別する。このとき、選択された番組タイトルにカーソル１４６０を重ねて表示する。これにより、ユーザーは、所望の番組タイトルが正しく検出されたかを確認することができる。次に予約ボタン１３３０をタッチ選択すると、操作入力部２１６は、予約ボタン１３３０が選択されたことを検出する。そして、カーソル１３１０にて選択された番組タイトルの番組情報、及び録画予約のリモコン制御信号をコンテンツ処理装置１００に送信する。受信したコンテンツ処理装置１００は、その番組情報と、情報を送信した携帯端末２００ａの機器番号（１）を、後述する録画予約管理テーブルに記録することで、録画予約設定が行われる。このように、携帯端末２００の表示部２１３にて、録画予約処理ができるため、コンテンツ処理装置１００の表示部１０８に別の映像を表示することできる。すなわち、別のユーザーがコンテンツ処理装置１００において、コンテンツの再生などを行っている状態でも、そのユーザーの視聴を妨げることなく、録画予約を設定することができる。なお、上記では、番組配列情報をコンテンツ処理装置１００から送信してもらい電子番組表１３００を作成しているが、番組配列情報を外部サーバー（図示せず）から、外部ネットワーク４１０を介して受信してもよい。
【００８９】
また、上記においては、図１１に示すように、コンテンツ処理装置１００の表示部１０８に、録画コンテンツの一覧をリスト表示させて各種処理を行っていたが、携帯端末２００に表示させて行ってもよい。図１６は、携帯端末２００に録画コンテンツの一覧をリスト表示させた例である。図１６（ａ）は、携帯端末２００ａの録画一覧ボタン２３１をタッチ操作した場合のリスト表示を行った例、図１６（ｂ）は、携帯端末２００ｂの録画一覧ボタン２３１をタッチ操作した場合のリスト表示を行った例を示している。
【００９０】
携帯端末２００ａの録画一覧ボタン２３１をタッチ操作すると、コンテンツ処理装置１００に対して、録画コンテンツ管理情報の送信要求のリモコン制御信号を送信する。コンテンツ処理装置１００は、受信したリモコン制御信号に対応し、携帯端末２００ａに録画コンテンツ管理情報を送信する。携帯端末２００ａは、受信した録画コンテンツ管理情報から録画コンテンツ一覧リストを作成し表示を行う。
【００９１】
図１６（ａ）に示すように、番組名称、チャンネル番号、日時などのコンテンツ情報１４１０の一覧を表示し、携帯端末２００ａにおいて録画予約を行ったコンテンツ（ここでは、「タイトル２２」「タイトル２７」）には、予約マーク１４５１を表示することで、自身がどの番組を録画予約したのかを容易に確認することができる。
【００９２】
表示部２１３に表示されているコンテンツ情報をタッチ操作すると、そのコンテンツにカーソル１４４１が表示される。図１６（ａ）においては、「タイトル２３」のコンテンツ情報が選択されていることを示す。
【００９３】
目的のコンテンツ（ここでは、「タイトル２３」）をカーソル１４４１で選択し、再生ボタン１４６０をタッチ操作すると、選択したコンテンツの再生を開始する。これは、「タイトル２３」の再生要求のリモコン制御コマンドをコンテンツ処理装置１００に送信することで実行される。コンテンツ処理装置１００は、「タイトル２３」のコンテンツのデータをストレージ１０６より読み出し、表示部１０８に表示（再生）する。
【００９４】
なお、レジュームポイント管理テーブル１１００を参照し、レジュームポイントが存在した場合は、そのレジュームポイントから再生を開始する。
【００９５】
このとき、コンテンツ管理テーブル９００の「タイトル２３」の視聴済ユーザー９０５に、携帯端末２００ａの機器番号である（１）が登録される。
【００９６】
また、図１６（ａ）に示すように一度も視聴していないコンテンツに未視聴マーク１４５３を表示している。これは、コンテンツ管理テーブル９００の視聴済ユーザー９０５に、携帯端末２００ａの機器番号（１）がないコンテンツ（ここでは、「タイトル２２」「タイトル２３」「タイトル２６」）を検出することで未視聴のコンテンツを判別することができる。このように未視聴マーク１４５３を表示することで、自身がどの番組を視聴していないのかを容易に確認することができる。
【００９７】
録画コンテンツ一覧のリスト表示で、カーソル１４４１で選択し、視聴予約ボタン１４６１を選択すると、その選択したコンテンツを視聴予約することができる。これは、後で視聴したい場合に選択するものである。視聴予約されたコンテンツには、コンテンツ管理テーブル９００の視聴予約ユーザー９０４に、携帯端末２００ａである機器番号（１）が登録される。図１６（ａ）に示すように、携帯端末２００ａにて視聴予約を行ったコンテンツ（ここでは、「タイトル２２」「タイトル２５」「タイトル２６」「タイトル２７」）に視聴予約マーク１４５２を表示している。このように視聴予約マーク１４５２を表示することで、自身がどの番組を視聴予約したのかを容易に確認することができる。なお、録画予約を行ったコンテンツ（「タイトル２２」「タイトル２７」）については、自動で視聴予約のコンテンツになるように設定してもよい。このように、視聴予約を行うことにより、そのコンテンツが他のユーザーによって削除されることを防止することができる。
【００９８】
録画コンテンツ一覧のリスト表示で、カーソル１４４１で選択し、削除ボタン１４６２を選択ことで、選択したコンテンツの削除処理を行うことができる。削除処理は、視聴が終了したものや、今後視聴する予定のないときに行う処理である。削除処理を行うことで、そのコンテンツに対して、コンテンツ管理テーブル９００の削除ユーザー９０６に携帯端末２００ａである機器番号（１）が登録される。図１６（ａ）に示すように、削除ユーザー９０６に機器番号（１）が登録されているコンテンツ（ここでは、「タイトル２１」「タイトル２４」）については、録画コンテンツ一覧のリスト表示を行っても、表示されないようにしている。これは、自身の機器番号（１）が削除ユーザーとして登録されているコンテンツ（「タイトル２１」「タイトル２４」）を携帯端末２００ａが判断して、表示しないよう処理してもよいし、コンテンツ処理装置１００が上記コンテンツの情報を除いて、携帯端末２００ａに表示させるコンテンツ情報のみを送信してもよい。削除処理を行ったコンテンツは、携帯端末２００ａのユーザーにとっては、不要なものである。録画コンテンツ一覧のリスト表示を行ったときに、不要なコンテンツのタイトルが表示されないため、容易に目的のコンテンツを探すことができて、使い勝手がよい。
【００９９】
また、表示部２１３には、ユーザー名１４４０を表示するようにしている。
【０１００】
図１６（ｂ）は、携帯端末２００ｂに、録画コンテンツの一覧をリスト表示された例を示す。
【０１０１】
番組名称、チャンネル番号、日時などのコンテンツ情報１４１０の一覧を表示し、携帯端末２００ｂにおいて録画予約を行ったコンテンツ（ここでは、「タイトル２５」）には、予約マーク１４５１を表示し、携帯端末２００ｂにて視聴予約を行ったコンテンツ（ここでは、「タイトル２５」）には視聴予約マーク１４５２を表示し、一度も視聴していないコンテンツ（ここでは、「タイトル２２」「タイトル２５」）には未視聴マーク１４５３を表示している。また、削除処理を行ったコンテンツ（ここでは、「タイトル２１」「タイトル２３」「タイトル２６」「タイトル２７」）については、表示しない。コンテンツの再生（視聴）、予約視聴、削除処理の操作については、上記した携帯端末２００ａと同様であり、詳細な説明は省略する。
【０１０２】
このように、携帯端末２００の表示部２１３にて、視聴予約等の各種設定ができるため、コンテンツ処理装置１００の表示部１０８に別の映像を表示することできる。すなわち、別のユーザーがコンテンツ処理装置１００において、コンテンツの再生などを行っている状態でも、そのユーザーの視聴を妨げることなく、視聴予約等の設定をすることができる。
【０１０３】
以上のように、本実施例によれば、操作を行う携帯端末２００、すなわち操作を行うユーザーに応じて、動作・表示内容を変更する。例えば、携帯端末２００ａで操作した場合は、「タイトル２２」「タイトル２７」に予約マーク１０１１が表示され、携帯端末２００ｂで操作した場合は、「タイトル２５」に予約マーク１０１１が表示される。これにより、自分が録画予約した番組を容易に確認することができるので、使い勝手がよい。
【０１０４】
また、携帯端末２００ａで操作した場合は、「タイトル２２」「タイトル２３」「タイトル２６」に未視聴マーク１０１３が表示され、携帯端末２００ｂで操作した場合は、「タイトル２２」「タイトル２５」に未視聴マーク１０１３が表示される。従来技術においは、視聴したユーザーを判別することが出来ないため、誰かが視聴すると、自分は未視聴でも未視聴マークは表示されず、未視聴のコンテンツを判別することができなかった。本実施例のコンテンツ処理装置１００においては、自分が未視聴の番組を容易に確認することができるので、使い勝手がよい。
【０１０５】
また、視聴をしたいと思ったコンテンツを視聴予約することができる。視聴予約することで、そのコンテンツが他のユーザーによって削除されることを防ぐことができる。
【０１０６】
さらには、携帯端末２００ａで操作した場合は、削除処理を行った「タイトル２１」「タイトル２４」が表示されず、携帯端末２００ｂで操作した場合は、削除処理を行った「タイトル２１」「タイトル２３」「タイトル２６」「タイトル２７」は表示されない。従来技術においては、ユーザー個別の表示をすることが出来なかった。例えば、携帯端末２００ａを操作するユーザーにとっては、削除の操作をした番組である「タイトル２１」「タイトル２４」は、不要な情報である。一般的なコンテンツ処理装置のように、全てのコンテンツを一覧表示すると、一画面に表示できるコンテンツの情報の数は限界があるため、録画したコンテンツの数に比例してスクロールする量が多くなり目的の番組を探しにくいという問題がある。本実施例の実施の形態のコンテンツ処理装置１００においては、操作するユーザーにとっては、不要な情報を表示されないため、目的の番組を探しやすいという特徴がある。
【０１０７】
また、一般的なコンテンツ処理装置のおいては、削除処理を行うと、他のユーザーの意図に関係なく、ストレージからコンテンツのデータが削除されてしまう。他のユーザーが視聴を予定していたコンテンツを削除してしまう可能性があった。また、視聴を予定していたコンテンツが、他のユーザーに削除されてしまう可能性もあった。この問題を起こさないようにするため、例えば特許文献１に記載の技術においては、複数のユーザーから録画予約されたコンテンツに対して削除要求をした場合、録画予約した他のユーザーに削除の確認通知を送信し、削除許可の応答があった場合に削除するようにしている。しかし、確認通知は、登録されたユーザーにしか送信されないため、他のユーザーに誤って削除されないようにするためには、ユーザー登録する必要がある。すなわち、コンテンツ処理装置を使用するユーザーは、ほとんどがユーザー登録された状態で使用することになる。共用ユーザーモードで録画予約したコンテンツを共用ユーザーモードで削除要求した場合、自分自身に削除の確認通知が送信され、そこで削除許可の応答をするという二度手間となっていまうため、共用モードは使い勝手が良いとは言えない。
【０１０８】
本実施例のコンテンツ処理装置１００においては、コンテンツ毎に、視聴予定ユーザーと削除ユーザーを管理しているため、視聴予定ユーザーが存在するコンテンツが、誤って削除されることはない。よって、使用しているユーザーは、他のユーザーのことを考慮せず、自分が不要と思ったコンテンツの削除処理をしても問題が起こることはないため、自身の都合でコンテンツ削除処理を行うことがでる。また、視聴を予定しているユーザーが存在しなくなったコンテンツは、ストレージ１０３から削除されるので、ストレージ１０３の空き容量を最大限確保することができる。
【０１０９】
以上のように、本発明の実施例においては、非常に使い勝手のよいコンテンツ処理技術を提供することができる。
【実施例２】
【０１１０】
実施例２によるコンテンツ管理システムの構成例を図１７を参照して説明する。
【０１１１】
コンテンツ管理システムは、コンテンツ処理装置１００、コンテンツ再生装置３００、および、携帯端末２００からなる。
【０１１２】
コンテンツ処理装置１００は、携帯端末２００においては、実施例１と同じ構成であるため、詳細説明は省略する。
【０１１３】
コンテンツ再生装置３００は、例えばネットワーク再生対応のテレビジョン装置などであり、ホームネットワーク４５０に接続されている。放送局４４０からの放送信号を受信し、放送番組などのコンテンツを表示（視聴）する。また、コンテンツ処理装置１００とコンテンツ再生装置３００は、ホームネットワーク４５０を介してデータの送受信を行うことで、コンテンツ処理装置１００にて録画したコンテンツデータを表示することもできる。コンテンツ処理装置１００とコンテンツ再生装置３００の間において、コンテンツデータの送受信は、例えばＤＬＮＡ（Digital Living Network Alliance）やＤＴＣＰ−ＩＰ（Digital Transmission Content Protection over Internet Protocol）などが用いられる。
【０１１４】
携帯端末２００は、ホームネットワーク４５０に接続されているコンテンツ再生装置３００と通信を行い、リモコン制御信号コンテンツ再生装置３００に送信することにより、コンテンツ再生装置３００をリモコン制御する。
【０１１５】
点線で囲まれた領域４００は、実施例１と同様に宅内を示している。コンテンツ再生装置３００は、ルーター４６０を介して外部ネットワーク４１０と相互通信を行うことができる。
【０１１６】
コンテンツ再生装置３００は、外部ネットワーク４１０を経由して、コンテンツサーバー４３０が配信するコンテンツデータを、視聴あるいはダウンロードすることもできる。
【０１１７】
また、コンテンツ再生装置３００は複数の場合がある。ここでは、２台のコンテンツ再生装置３００ａ、３００ｂがある場合について説明する。コンテンツ再生装置３００ａの機器名称を「ＸＸ」、機器ＩＤを「192.168.1.7」とする。また、コンテンツ再生装置３００ｂの機器名称を「ＹＹ」、機器ＩＤを「192.168.1.8」とする。
【０１１８】
図１８は、実施例２によるコンテンツ再生装置３００の内部構成例を示すブロック図である。コンテンツ再生装置３００は、ＣＰＵ３０１、メモリ３０２、チューナ３０３、リモコン受信部３０４、操作入力部３０５、通信部３０６、表示部３０７、映像処理部３０８、音声処理部３０９、スピーカ３１０、入出力Ｉ／Ｆ３１１を備え、それぞれはバス３５０に相互に接続されている。
【０１１９】
メモリ３０２は、フラッシュメモリなどであり、各種プログラムが格納されている。ＣＰＵ３０１は、メモリ３０２に格納されている各種プログラムなどを実行することによって、後述する各構成ブロックを制御し、各種の処理を行っている。チューナ３０３は、接続されているアンテナ３２０にて、放送局４４０が送信するデジタル放送などの放送信号を受信し、選局及び復調を行う。操作入力部３０５は、ユーザーからの各種操作を受け付けるユーザーインターフェイスであり、例えば電源のＯＮ／ＯＦＦ、チューナ１０４の選局、音量のＵＰ／ＤＯＷＮなどの操作ボタンである。また、携帯端末２００からのリモコン制御信号を受信し、ユーザーからの各種操作を受け付けることもできる。さらには、ユーザーが操作するリモコン（図示せず）からのリモコン制御信号を、リモコン受信部３０４により受信することでも、ユーザーからの各種操作を受け付けることもできる。
【０１２０】
通信部３０６は、ホームネットワーク４５０とＬＡＮケーブル４５２で接続され、ホームネットワーク４５０に接続されている他機器と通信を行うインターフェイスである。また、ルーター４６０を介して外部ネットワーク４１０とも接続可能である。受信した放送信号に対して、チューナ３０３にて選局・復調した後、映像信号と音声信号に分離する。分離された映像信号は、映像処理部３０８にて映像処理され、表示部３０７に表示する。ここで、表示部３０７は、ＰＤＰや、ＬＣＤ、有機ＥＬなどである。また分離された音声信号は、音声処理部３０９にて音声処理されスピーカ３１０から出力される。これらの処理により、チューナ３０３にて受信した放送信号を視聴することができる。また、上記したコンテンツ処理装置１００が送信するコンテンツデータを通信部３０６により受信し、映像信号と音声信号に分離した後、映像信号は映像処理部３０８にて映像処理し、表示部３０７に表示する。音声信号は、音声処理部３０９にて音声処理しスピーカ３１０から出力する。これらの処理により、コンテンツ処理装置１００が送信するコンテンツデータを視聴することができる。入出力Ｉ／Ｆ３１１は、他の電子機器と接続する例えばＨＤＭＩなどの接続インターフェイスである。また、コンテンツサーバー４３０が配信するコンテンツデータを外部ネットワーク４１０、ホームネットワーク４５０を介して、通信部３０６にて受信することもできる。受信したコンテンツデータは、映像信号と音声信号に分離し、映像処理部３０８、音声処理部３０９にて映像／音声処理され、表示部３０７、スピーカ３１０より出力する。これらの処理により、コンテンツサーバー４３０が配信するコンテンツを視聴することができる。
【０１２１】
なお、上記では、音声信号と映像信号の分離をコンテンツ再生装置３００にて行っているが、コンテンツ処理装置１００において音声信号と映像信号の分離を行い、分離したデータを送信してもよい。
【０１２２】
上記したように、携帯端末２００は、ホームネットワーク４５０を経由して、コンテンツ処理装置１００、コンテンツ再生装置３００をリモコン制御することができる。コンテンツ再生装置３００をリモコン制御する場合は、表示部２１３にコンテンツ再生装置３００用の操作コマンド等を表示させて、ユーザーは所望の操作コマンドをタッチ操作する。ＣＰＵ２０２は、受け付けた操作コマンドに対応したリモコン制御信号を生成する。このとき、各種操作コマンドとリモコン制御信号の対応テーブルデータは、メモリ２０３に格納されている。ＣＰＵ２０２は、生成したリモコン制御信号を、無線通信部２０９よりコンテンツ再生装置３００に対して送信する。このようにして、携帯端末２００は、コンテンツ再生装置３００をリモコン制御することができる。
【０１２３】
本実施例に係るコンテンツ管理システムにおいては、最初に、使用する携帯端末２００をコンテンツ処理装置１００、コンテンツ再生装置３００に登録する必要がある。コンテンツ処理装置１００への登録方法等については、実施例１と同様であるため、詳細説明は省略する。
【０１２４】
図１９は、携帯端末２００にコンテンツ再生装置３００を初期登録する場合の動作例を示す。これは、リモコン操作する際に、複数のコンテンツ再生装置３００から目的コンテンツ再生装置３００を選択可能とするためである。
【０１２５】
最初に、携帯端末２００において、再生装置登録プログラムをメモリ２０３より読み込み起動させる（Ｓ１９１１）。これは、ユーザーが、表示部２１３に表示されたメニューから選択し、操作入力部２１６を介して操作し選択することで、メモリ２０３に格納されている再生装置登録プログラムが起動する。なお、再生装置登録プログラムは、上記機器用登録プログラムと同様に、製品の出荷時にメモリ２０３に格納しておいてもよく、あるいは、基地局通信部２１０または無線通信部２０９を介して外部プログラムサーバー（図示せず）よりダウンロードしてもよい。
【０１２６】
次に、携帯端末２００は、ホームネットワーク４５０に接続されているコンテンツ再生装置３００ａに対して問合せ信号を送信する（Ｓ１９０１）。問合せ信号は、無線通信部２０９よりホームネットワーク４５０を介して送信する。なお、ここでは、コンテンツ再生装置３００ａ、３００ｂの順に問合せ信号を送信した場合について説明する。
【０１２７】
問合せ信号を受信したコンテンツ再生装置３００ａは、問合せ信号を確認し（Ｓ１９２１）、機器名称「ＸＸ」、機器ＩＤ「192.168.1.7」を携帯端末２００に送信する（Ｓ１９０２）。機器名称と機器ＩＤを受信した携帯端末２００は、これをメモリ２０３に登録する（Ｓ１９１２）。
【０１２８】
次に、携帯端末２００は、コンテンツ再生装置３００ｂに対して問合せ信号を送信する（Ｓ１９０３）。問合せ信号を受信したコンテンツ再生装置３００ｂは、問合せ信号を確認し（Ｓ１９３１）、機器名称「ＹＹ」、機器ＩＤ「192.168.1.8」を携帯端末２００に送信する（Ｓ１９０４）。機器名称と機器ＩＤを受信した携帯端末２００は、これをメモリ２０３に登録する（Ｓ１９１３）。
【０１２９】
ホームネットワーク４５０に接続されているコンテンツ再生装置３００が他にもある場合は、そのコンテンツ再生装置３００に対して問合せ信号を送信し、同様にメモリに登録していくい。
【０１３０】
すべてのコンテンツ再生装置３００を登録した後、表示部２１３に登録したコンテンツ再生装置３００のリスト表示する（Ｓ１９１４）。
【０１３１】
図２０は、携帯端末２００の再生装置管理テーブル５５０を示す。再生装置管理テーブル５５０は、上記の登録処理を行った携帯端末２００に記録されたテーブルであり、メモリ２０３に保存されている。再生装置管理テーブル５５０は、機器番号５５１、機器名称５５２、機器ＩＤ５５３、場所５５４からなる。図２０に示すように、機器番号（１）には、コンテンツ再生装置３００ａが登録されている。機器番号（２）には、コンテンツ再生装置３００ｂが登録されている。場所５５４は、例えばコンテンツ再生装置３００が設置されている場所を登録するもので、ここでは、「リビング」「寝室」が登録されている。なお、この場所の名称は、上記の図１９の再生装置を登録するステップ（Ｓ１９１２、Ｓ１９１３）にて行っている。このように、場所５５４を登録していることで、コンテンツ再生装置３００が複数ある場合でも、識別が容易になり、使い勝手がよくなる。なお、再生装置管理テーブル５５０は、最初に一度設定するだけでよく、メモリ２０３より適宜読み込んで使用する。また、コンテンツ再生装置３００の増減に伴い、容易に再生装置管理テーブル５５０を変更できるようにしている。
【０１３２】
実施例１と同様に、コンテンツ処理装置１００は、チューナ１０４にて受信した放送信号より、コンテンツデータをストレージ１０３に保存（録画）することができる。これは、事前に録画予約を設定し、その時刻になった時に、放送信号から目的のチャンネル（放送番組）を自動で録画するものである。コンテンツの録画予約する際の携帯端末２００における操作方法については、実施例１と同様であるため詳細説明は省略する。
【０１３３】
図２１は、コンテンツ再生装置３００ａを携帯端末２００ａにてリモコン制御する際の通信動作の説明図である。図２２は、そのリモコン制御時の携帯端末２００ａの表示例である。
【０１３４】
まず、携帯端末２００ａにおいて、メニューなどから選択し、コンテンツ再生装置３００をリモコン制御するモードにする（Ｓ２１１１）。携帯端末２００の表示部２１３には、図２２に示すようなコンテンツ再生装置３００をリモコン制御するコマンド一覧が表示される。表示部２１３には、図２２に示すように、コンテンツ再生装置３００の選択ボタン２１６が表示されている。これは、再生装置管理テーブル５５０の場所５５４を表示したものである。ここでは、コンテンツ再生装置３００ａの「リビング」とコンテンツ再生装置３００ｂの「寝室」の２つが表示されている。ここで、リモコン制御を行うコンテンツ再生装置３００ａである選択ボタン２１６の「リビング」をタッチ選択する（Ｓ２１１２）。次に、ユーザーは、所望のコマンドをタッチ選択する（Ｓ２１１３）。例えば、チャンネルの選局の場合は、チャンネル番号ボタン２２２をタッチ選択する。操作入力部２１６は、タッチされた座標より、そのタッチされた位置に対応するリモコン制御信号をコンテンツ再生装置３００ａに送信する（Ｓ２１０１）。コンテンツ再生装置３００ａは、受信したリモコン制御信号に対応する動作（リモコン制御）を行う（Ｓ２１２１）。コンテンツ再生装置３００ａは、制御完了信号を携帯端末２００ａに送信する（Ｓ２１０２）。上記リモコン制御信号が、データ送信に関するコマンドの場合は、所定のデータを携帯端末２００ａに送信した後に制御完了信号を送信する。なお、上記コンテンツ再生装置３００の選択操作（Ｓ２１１２）は省略してもよい。この場合は、前回に選択したコンテンツ再生装置３００が継続して選択されるものとする。
【０１３５】
次に、コンテンツ処理装置１００とコンテンツ再生装置３００を連携させてリモコン制御を行う動作について説明する。
【０１３６】
図２３は、コンテンツ処理装置１００とコンテンツ再生装置３００を連携させて携帯端末２００にてリモコン制御する際の通信動作の説明図である。図２４は、そのリモコン制御時の携帯端末２００の表示例である。ここで、使用する機器は、携帯端末２００ａ、コンテンツ処理装置３００ａとする。
【０１３７】
まず、携帯端末２００ａにおいて、メニューなどから選択し、コンテンツ処理装置１００とコンテンツ再生装置３００を連携してリモコン制御するモードにする（Ｓ２３１１）。携帯端末２００ａの表示部２１３には、図２４に示すようなコンテンツ処理装置１００とコンテンツ再生装置３００ａを連携してリモコン制御するコマンド一覧が表示される。ユーザーはこの表示画面より、所望のコマンドをタッチ選択する（Ｓ２３１２）。操作入力部２１６は、タッチされた座標より、そのタッチされた位置に対応するリモコン制御信号をコンテンツ再生装置３００ａに送信する（Ｓ２３０１）。このとき、携帯端末２００ａの機器ＩＤも一緒に送信する。他のボタンが選択された場合も同様である。コンテンツ再生装置３００ａは、受信したリモコン制御信号と機器ＩＤをコンテンツ処理装置１００に送信する（Ｓ２３０２）。コンテンツ処理装置１００は、受信した機器ＩＤが管理テーブル５００に登録されているかを確認する（Ｓ２３３１）。管理テーブル５００に登録されていない機器ＩＤの場合は、受信したリモコン制御信号を無視する。受信した機器ＩＤが管理テーブル５００に登録された機器ＩＤと一致した場合は、受信したリモコン制御信号に対応する動作（リモコン制御）を行う（Ｓ２３３２）。コンテンツ処理装置１００は、制御完了信号をコンテンツ再生装置３００ａに送信する（Ｓ２３０３）。上記リモコン制御信号が、データ送信に関するコマンドの場合は、所定のデータをコンテンツ再生装置３００ａに送信した後に制御完了信号を送信する。次に、コンテンツ再生装置３００ａにおいてもＳ２３０２にて受信したリモコン制御信号に対応する動作（リモコン制御）を行う（Ｓ２３２１）。コンテンツ再生装置３００ａは、制御完了信号を携帯端末２００に送信する（Ｓ２３０４）。上記リモコン制御信号が、データ送信に関するコマンドの場合は、所定のデータを携帯端末１００ａに送信した後に制御完了信号を送信する。
【０１３８】
なお、以上の説明では、携帯端末２００にてリモコン制御を行う際にモードの選択（Ｓ６１１、Ｓ２１１１、Ｓ２３１１）を行っていたが、選択された操作コマンドに応じて、自動でモードを切り替えてもよい。
【０１３９】
次に、携帯端末２００ａにより、電子番組表をコンテンツ再生装置３００ａに表示させて録画予約の設定を行う操作について、自動でモードを切り替える場合を説明する。
【０１４０】
図２５は、コンテンツ再生装置３００ａの表示部３０７に電子番組表７００を表示した例を示す図である。また図２６は、コンテンツ処理装置１００、コンテンツ再生装置３００ａ、携帯端末２００ａの通信動作の説明図である。なお、ここでは、事前に、コンテンツ再生装置３００のうち、コンテンツ再生装置３００ａを選択していることとする。
【０１４１】
携帯端末２００ａにおいて、図２４（ａ）の表示画面とし（Ｓ２５１１）、番組表ボタン２３０をタッチ選択する（Ｓ２５１２）。番組表ボタン２３０が選択されると、携帯端末２００ａは、番組配列情報の送信要求のリモコン制御信号と機器ＩＤ「192.168.1.3」をコンテンツ再生装置３００ａに送信する（Ｓ２５０１）。コンテンツ再生装置３００ａは、コンテンツ処理装置１００に、受信した番組配列情報の送信要求のリモコン制御信号と機器ＩＤ「192.168.1.3」をコンテンツ処理装置１００に送信する（Ｓ２５０２）。
【０１４２】
コンテンツ処理装置１００は、機器ＩＤ「192.168.1.3」が管理装置管理テーブル５００に存在することを確認する（Ｓ２５３１）。このとき、機器ＩＤ「192.168.1.3」より、ユーザー名が「お父さん」であることがわかる。次に、コンテンツ処理装置１００は、チューナ１０３にて受信した番組配列情報を取得する（Ｓ２５３２）。この番組配列情報は、事前に受信してストレージ１０３に保存していたものを読み込むことで取得できる。コンテンツ処理装置１００は、番組配列情報、ユーザーの名称データ「お父さん」をコンテンツ再生装置３００ａに送信し、制御完了信号を送信する（Ｓ２５０３）。番組配列情報を受信したコンテンツ再生装置３００ａは、番組配列情報より図２５に示すような電子番組表７００を作成し、表示部３０７に表示する（Ｓ２５２１）。このとき、電子番組表７００上にカーソル７１０を表示し、携帯端末２００ａに制御完了信号を送信する（Ｓ２５０４）。なお、上記では、番組配列情報をコンテンツ処理装置１００より受信しているが、コンテンツ再生装置３００ａのチューナ３０３にて受信した番組配列情報を用いてもよい。この場合は、コンテンツ処理装置１００よりステップＳ２５０３にて送信するデータは、ユーザー名称データとなる。
【０１４３】
次に、カーソル７１０を移動させて予約録画する番組を選択する。これは、携帯端末２００ａにて上下左右のカーソルキー２３２をタッチ選択する（Ｓ２５１３）と、それに対応するカーソル制御のリモコン制御信号がコンテンツ再生装置３００ａに送信される（Ｓ２５０５）。コンテンツ再生装置３００ａにおいては、カーソル制御のリモコン制御信号に応じてカーソル７１０が上下左右に移動する（Ｓ２５２２）。すなわち、上のカーソルキー２３２をタッチ選択すると、カーソル７１０は上に移動することになる。移動後は、制御完了信号が携帯端末２００ａに送信される（Ｓ２５０６）。このとき、カーソル７１０にて選択されている番組の情報も送信するようにしている。
【０１４４】
上記を繰り返し、カーソル７１０を所望の番組タイトルまで移動させると、選択された番組の録画予約設定を決定する決定キー２３３をタッチ選択する（Ｓ２５１４）。携帯端末２００ａは、番組情報、予約録画設定のリモコン制御信号、機器ＩＤをコンテンツ再生装置３００ａに送信する（Ｓ２５０７）。コンテンツ再生装置３００ａは、受信した番組情報、予約録画設定のリモコン制御信号、機器ＩＤをコンテンツ処理装置１００に送信する（Ｓ２５０８）。コンテンツ処理装置１００は、機器ＩＤが管理装置管理テーブル５００に存在することを確認し（Ｓ２５３３）、受信した番組情報を録画予約管理テーブル８００に記録し、予約録画を設定する（Ｓ２５３４）。コンテンツ処理装置１００は、制御完了信号をコンテンツ再生装置３００ａに送信する（Ｓ２５０９）。制御完了信号を受信したコンテンツ再生装置３００ａにおいては、予約録画設定された番組情報を確認画面として表示部３０７に表示し（Ｓ２５２３）、携帯端末２００ａに制御完了信号を送信し（Ｓ２５１０）、予約録画の設定が完了する。
【０１４５】
上記したように、番組表ボタン２３０や決定キー２３３が選択されたときは、コンテンツ処理装置１００とコンテンツ再生装置３００ａを連携して制御するモードとなり、カーソルキー２３２が選択されたときは、コンテンツ再生装置３００ａを制御するモードに切り替わるようにしている。
【０１４６】
また、コンテンツ再生装置３００とコンテンツ処理装置１００と連携して制御するモードの際は、携帯端末２００が送信するリモコン制御信号と機器ＩＤは、コンテンツ再生装置３００を介してコンテンツ処理装置１００に受信される。すなわち、コンテンツ再生装置３００は、受信したリモコン制御信号と機器ＩＤをコンテンツ処理装置１００に転送している。これにより、コンテンツ処理装置１００は、操作している携帯端末２００の機器ＩＤを確認することが可能となる。
【０１４７】
コンテンツ処理装置１００に記録（録画）されたコンテンツを管理方法等については、実施例１と同様であるため詳細説明は省略する。
【０１４８】
図２７は、コンテンツ再生装置３００に録画コンテンツの一覧をリスト表示させた例である。
【０１４９】
携帯端末２００ａより、コンテンツ再生装置３００を介してコンテンツ処理装置１００に、録画コンテンツ管理情報の送信要求のリモコン制御信号を送信し、コンテンツ処理装置１００は、そのリモコン制御信号に対応し、コンテンツ再生装置３００に録画コンテンツ管理情報を送信する。コンテンツ再生装置３００は、受信した録画コンテンツ管理情報から録画コンテンツ一覧リストを作成し表示を行う。
【０１５０】
実施例１と同様に、番組名称、チャンネル番号、日時などのコンテンツ情報１０１０の一覧を表示し、携帯端末２００ａにおいて録画予約を行ったコンテンツには、予約マーク１０１１を表示し、携帯端末２００ａにて視聴予約を行ったコンテンツに視聴予約マーク１０１２を表示し、一度も視聴していないコンテンツに未視聴マーク１０１３を表示している。また、削除処理を行ったコンテンツ（「タイトル２１」「タイトル２４」）については、表示しないようにしている。また、表示部３０７には、ユーザー名１０２０を表示するようにしている。
【０１５１】
録画コンテンツ一覧のリストには、カーソル１０２１が表示されており、携帯端末２００ａの上下のカーソルキー２３２をタッチ選択すると、それに合わせてカーソル１０２１が移動する。所望のコンテンツにカーソル１０２１がある状態で再生ボタン１０３０を選択すると、選択したコンテンツ情報と再生要求のリモコン制御信号をコンテンツ処理装置１００に送信し、コンテンツ処理装置１００は、そのコンテンツデータをコンテンツ再生装置３００に送信する。コンテンツ再生装置３００は、受信したコンテンツデータを再生する。このとき、コンテンツ管理テーブル９００の視聴済ユーザー９０５に、携帯端末２００ａの機器番号である（１）が登録される。録画コンテンツの一覧リスト表示から、上記視聴したコンテンツの未視聴マーク１０１３は削除される。
【０１５２】
録画コンテンツ一覧のリスト表示から、視聴予約ボタン１０３１を選択すると、カーソル１０２１で選択されているコンテンツ情報と視聴予約コマンドをコンテンツ処理装置１００に送信する。情報を受信したコンテンツ処理装置１００は、コンテンツ管理テーブル９００の視聴予約ユーザー９０４に、機器番号（１）を登録する。同時に、そのコンテンツに視聴予約マーク１０１２が表示される。
【０１５３】
録画コンテンツ一覧のリスト表示から、削除ボタン１０３２を選択すると、カーソル１０２１で選択されているコンテンツ情報と削除コマンドをコンテンツ処理装置１００に送信する。情報を受信したコンテンツ処理装置１００は、コンテンツ管理テーブル９００の削除ユーザー９０６に機器番号（１）を登録する。さらに、一覧表示されたコンテンツ情報１０１０から、そのコンテン番組を削除する。なお、録画コンテンツ一覧のリスト表示から削除されるだけであり、コンテンツ処理装置１００には、そのコンテンツデータは保存されたままである。
【０１５４】
また、本発明のコンテンツ管理システムにおては、実施例１と同様に管理モードを設けている。この管理モードは、登録された携帯端末２００からのみ実行できるようにしている。管理モードを実行できる機器の管理は、機器管理テーブル５００にて行えばよい。ここでは、携帯端末２００ａを、管理モードの実行可能な機器に登録している場合について説明する。
【０１５５】
図２８は、携帯端末２００ａにおいて管理モードを実行させたときの、コンテンツ再生装置３００の表示画面の例を示す。
【０１５６】
図２８に示すように、コンテンツ管理テーブル９００の情報を一覧表示したものである。なお、表示するコンテンツ管理テーブル９００のデータは、コンテンツ処理装置１００より受信することで取得する。番組名称、チャンネル番号、日時などのコンテンツ情報１０１０の一覧と、それぞれのコンテンツにおいて、録画予約を行った機器を示す録画ユーザー１０４１、視聴予約を行った機器を示す視聴予約ユーザー１０４２、過去に視聴を行ったことのある機器を示す視聴済ユーザー１０４３、削除処理を行った機器を示す削除ユーザー１０４４が表示されている。ここで、カーソル１０２１にてコンテンツを選択し、削除ボタン１０５０を選択すると、そのコンテンツのコンテンツデータをストレージ１０６から削除することができる。
【０１５７】
以上のように、本実施例のコンテンツ処理装置１００においては、視聴予約ユーザーがいるコンテンツデータを削除することができる管理モードを設けている。これにより、視聴予約をしていながら視聴していないコンテンツや、視聴終了しているが削除処理を行わなかったコンテンツが増えた場合、ストレージ１０３の空き容量が不足する可能性がある。強制的にコンテンツデータを削除可能な管理モードを設けることにより、ストレージ１０６の空き容量が不足した場合にも対応できる。
【０１５８】
なお、管理モードにてコンテンツデータを削除する際に、実施例１と同様に、削除処理をしていない視聴予約ユーザーに問合せるようにしてもよい。
【０１５９】
以上説明した本実施例によれば、コンテンツ処理装置１００において保存しているコンテンツを、コンテンツ再生装置３００にて視聴するコンテンツ管理システムにおいても、実施例１と同様の効果を得ることができる。
【０１６０】
以上のように、実施例２においては、実施例１と同様に、非常に使い勝手のよいコンテンツ処理技術を提供することができる。
【符号の説明】
【０１６１】
１００  コンテンツ処理装置
２００  携帯端末
３００  コンテンツ再生装置
４１０  外部ネットワーク
４５０  ホームネットワーク
４６０  ルーター
５００  機器管理テーブル
７００  電子番組表
８００  録画予約管理テーブル
９００  コンテンツ管理テーブル
１１００  レジュームポイント管理テーブル
１３００  電子番組表
【図１】
2014093753.tif 000003
【図２】
2014093753.tif 000004
【図３】
2014093753.tif 000005
【図４】
2014093753.tif 000006
【図５】
2014093753.tif 000007
【図６】
2014093753.tif 000008
【図７】
2014093753.tif 000009
【図８】
2014093753.tif 000010
【図９】
2014093753.tif 000011
【図１０】
2014093753.tif 000012
【図１１】
2014093753.tif 000013
【図１２】
2014093753.tif 000014
【図１３】
2014093753.tif 000015
【図１４】
2014093753.tif 000016
【図１５】
2014093753.tif 000017
【図１６】
2014093753.tif 000018
【図１７】
2014093753.tif 000019
【図１８】
2014093753.tif 000020
【図１９】
2014093753.tif 000021
【図２０】
2014093753.tif 000022
【図２１】
2014093753.tif 000023
【図２２】
2014093753.tif 000024
【図２３】
2014093753.tif 000025
【図２４】
2014093753.tif 000026
【図２５】
2014093753.tif 000027
【図２６】
2014093753.tif 000028
【図２７】
2014093753.tif 000029
【図２８】
2014093753.tif 000030